【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
端末がアップリンクサウンディング参照信号(uplink sounding reference signal;ＳＲＳ)を送信するための方法であって、
前記ＳＲＳの設定及びトリガーリング情報を取得するステップと、
前記設定及びトリガーリング情報に基づいて前記ＳＲＳを送信するためのキャリア及びサブフレームを決定するステップであって、前記キャリアは、フレキシブルデュプレックス(flexible duplex)アップリンクキャリア又は周波数分割デュプレックス（frequency division duplex；ＦＤＤ）ダウンリンクキャリアであるステップと、
電力制御情報を取得し、前記取得した電力制御情報に基づいて電力値を決定するステップと、
前記決定されたキャリア及びサブフレームを通じて前記決定された電力値で前記ＳＲＳを送信するステップと、を含むことを特徴とする方法。
【請求項２】
相異なるサービングセルがＦＤＤアップリンクキャリア及びＦＤＤダウンリンクキャリアに基づいて構成され、前記相異なるサービングセルの各々に対応するＳＲＳの設定及びトリガーリング情報が取得されることを特徴とする請求項１に記載の方法。
【請求項３】
前記キャリアを決定するステップは、
前記設定及びトリガーリング情報に含まれたキャリア方向インジケータを取得するステップを含み、前記キャリア方向インジケータは、前記キャリアがアップリンクキャリア又はダウンリンクキャリアであることを示すステップ、又は、
ＦＤＤアップリンクキャリアが前記フレキシブルデュプレックスアップリンクキャリアである場合、前記設定及びトリガーリング情報を伝達するキャリアを前記ＳＲＳを送信するキャリアとして決定するステップを含むことを特徴とする請求項１に記載の方法。
【請求項４】
前記ＳＲＳの送信がトリガーリングタイプ１を通してトリガーされる場合、前記キャリアを決定する動作は、
前記ＳＲＳの送信をトリガーする物理階層シグナリングによりスケジューリングされるデータを送信するキャリアを前記ＳＲＳを送信するキャリアとして位置されるものと決定するステップ、又は、
前記ＳＲＳの送信をトリガーする物理階層シグナリングを送信するキャリアを前記ＳＲＳを送信するキャリアとして決定するステップを含むことを特徴とする請求項１に記載の方法。
【請求項５】
サービングセル内のＦＤＤアップリンクキャリア及びＦＤＤダウンリンクキャリアが同一の設定及びトリガーリング情報を共有する場合、前記ＳＲＳを送信するキャリア及びサブフレームを決定する動作は、
前記ＦＤＤアップリンクキャリアがアップリンク送信だけをサポートする場合、ＦＤＤモードにより前記ＳＲＳを送信するキャリア及びサブフレームを決定し、
前記ＦＤＤアップリンクキャリアが前記アップリンク送信及びダウンリンク送信の両方ともをサポートする場合、時間分割デュプレックス(Time Division Duplex;ＴＤＤ)モードにより前記ＳＲＳを送信するキャリア及びサブフレームを決定するステップ、又は
前記ＦＤＤモードにより前記ＳＲＳを送信するキャリア及びサブフレームを決定するステップ、又は
前記ＴＤＤモードにより前記ＳＲＳを送信するキャリア及びサブフレームを決定するステップを含むことを特徴とする請求項１に記載の方法。
【請求項６】
サービングセル内のＦＤＤアップリンクキャリア及びＦＤＤダウンリンクキャリアが同一の設定及びトリガーリング情報を共有する場合、前記ＦＤＤアップリンクキャリアがダウンリンク送信をサポートするか否かを前記端末が決定できない場合、前記ＳＲＳの送信を実行することなく前記取得された設定及びトリガーリング情報を無視するステップをさらに含むことを特徴とする請求項１に記載の方法。
【請求項７】
サービングセル内のＦＤＤアップリンクキャリア及びＦＤＤダウンリンクキャリアが相異なる設定及びトリガーリング情報を使用する場合、前記ＳＲＳを送信するキャリア及びサブフレームを決定する動作は、
基地局から、前記フレキシブルデュプレックス(flexible duplex)アップリンクキャリア又は前記ＦＤＤダウンリンクキャリアに対応し、また、設定及びトリガーリングモードを表示する上位階層シグナリングを受信するステップ、及び
前記設定及びトリガーリングモードにより前記ＳＲＳを送信するキャリア及びサブフレームを決定するステップを含み、
前記設定及びトリガーリングモードは、ＴＤＤモード又はＦＤＤモードであることを特徴とする請求項１に記載の方法。
【請求項８】
サービングセルのＦＤＤアップリンクキャリアがダウンリンク送信をサポートし、前記端末が前記ＦＤＤアップリンクキャリアのアップリンク/ダウンリンク分布のためのサブフレームを決定できない場合、
前記ＳＲＳの送信を実行することなく、トリガーリングタイプが０であるＳＲＳ設定を無視するステップ、又は
ダウンリンク自動再送要求(Hybrid Automatic Retransmission Request；ＨＡＲＱ)参照構成により、アップリンクサブフレーム及びアップリンクパイロットタイムスロット（uplink pilot time slot；ＵｐＰＴＳ）として使用されないサブフレームに対する物理的アップリンク共有チャネル（physical uplink shared channel；ＰＵＳＣＨ）がスケジューリングされない場合は、前記ＳＲＳの送信を実行することなく前記トリガーリングタイプが０である前記ＳＲＳ設定を無視するステップをさらに含むことを特徴とする請求項１に記載の方法。
【請求項９】
前記電力制御情報を取得するステップは、
ダウンリンク制御情報(Downlink Control Information;ＤＣＩ）フォーマットにおいて前記ダウンリンクキャリアに対応する送信器電力制御(Transmitter Power Control;ＴＰＣ）表示に基づいて、前記ＦＤＤダウンリンクキャリア上の前記ＳＲＳの電力制御調整値を決定するステップを含み、
前記ＴＰＣ表示を受信する動作は、
上位階層シグナリングにより各アップリンクキャリア及びダウンリンクキャリアのＴＰＣ一連番号を決定し、前記ＤＣＩフォーマットから前記ダウンリンクキャリアの決定されたＴＰＣ一連番号に対応するＴＰＣを判読するステップ、又は
前記ダウンリンクキャリアに対応するＤＣＩフォーマットを伝達するサブフレーム及び前記アップリンクキャリアに対応する前記ＤＣＩフォーマットを伝達するサブフレームを予め指定し、前記ＤＣＩフォーマットを伝送するサブフレームによって、前記ＤＣＩフォーマットにおけるＴＰＣ表示が前記アップリンクキャリア又は前記ダウンリンクキャリアに対応するか否かを決定するステップを含むことを特徴とする請求項１に記載の方法。
【請求項１０】
前記決定されたＦＤＤダウンリンクキャリアがより低いバージョン端末をサポートする場合、前記設定及びトリガーリング情報を取得した前記端末がシステム情報ブロック（system information block；ＳＩＢ）１、ページング(paging)信号、又はマルチメディアブロードキャスト信号周波数ネットワーク（multimedia broadcast single frequency network；ＭＢＳＦＮ）を送信するサブフレームで及び/又は前記より低いバージョン端末のＳＰＳを送信するサブフレームで前記ＳＲＳの送信を実行しないステップをさらに含み、前記より低いバージョン端末は、ＦＤＤダウンリンクキャリアにおいて前記ＳＲＳの送信をサポートしない端末であることを特徴とする請求項１に記載の方法。
【請求項１１】
基地局から設定された周期内で前記ＳＲＳの送信が許可されることを示すサブフレーム表示を含む上位シグナリングを受信するステップをさらに含むことを特徴とする請求項１０に記載の方法。
【請求項１２】
基地局がアップリンクサウンディング参照信号（sounding reference signal；ＳＲＳ）を受信して、チャネルを推定するための方法であって、
端末からフレキシブルデュプレックスアップリンクキャリア又は周波数分割デュプレックス（frequency division duplex；ＦＤＤ）ダウンリンクキャリアを通じて送信されるＳＲＳを受信するステップ、及び
前記ＳＲＳに基づいてチャネル情報を推定し、前記チャネル情報を、前記ＳＲＳを伝送するキャリア上のダウンリンクチャネル情報として設定するステップを含むことを特徴とする方法。
【請求項１３】
ダウンリンク参照シンボルに基づいて前記端末により測定されたチャネル品質インジケータ(Channel Quality Indicator；ＣＱＩ)を受信するステップ、及び
前記ＣＱＩを、前記ＳＲＳに基づいて推定される前記チャネル情報と共に組み合わせて、前記ダウンリンクチャネル情報を設定するステップをさらに含むことを特徴とする請求項１２に記載の方法。
【請求項１４】
ダウンリンク参照シンボルに基づいて前記端末により測定された前記端末のアンテナの部分と前記基地局の送信アンテナとの間の第２のダウンリンクチャネル情報を受信するステップ、及び
前記第２のダウンリンクチャネル情報を、前記ＳＲＳに基づいて推定される前記チャネル情報と組み合わせて、前記ダウンリンクチャネル情報を設定するステップをさらに含み、
前記端末のアンテナの部分は、送信アンテナとして使用されない前記端末の受信アンテナであることを特徴とする請求項１２に記載の方法。
【請求項１５】
アップリンクサウンディング参照信号（ＳＲＳ）を送信する端末であって、
ＳＲＳの設定及びトリガーリング情報を取得し、前記設定及びトリガーリング情報により前記ＳＲＳを送信するキャリア及びサブフレームを決定し、電力制御情報を取得し、前記取得した電力制御情報に基づいて電力値を決定するように構成される制御部であって、前記ＳＲＳを送信するキャリアは、フレキシブルデュプレックス(flexible duplex)アップリンクキャリア又は周波数分割デュプレックス（frequency division duplex；ＦＤＤ）ダウンリンクキャリアである制御部、及び
前記決定されたキャリア及びサブフレームで前記決定されたＳＲＳ電力値で前記ＳＲＳを送信する送信モジュールを含むことを特徴とする端末。
【請求項１６】
相異なるサービングセルがＦＤＤアップリンクキャリア及びＦＤＤダウンリンクキャリアに基づいて構成され、前記相異なるサービングセルの各々に対応するＳＲＳの設定及びトリガーリング情報が取得されることを特徴とする請求項１５に記載の端末。
【請求項１７】
前記送信モジュールは、前記設定及びトリガーリング情報に含まれたキャリア方向インジケータを取得し、前記キャリア方向インジケータは、前記キャリアがアップリンクキャリア又はダウンリンクキャリアであることを示し、又は、
ＦＤＤアップリンクキャリアが前記フレキシブルデュプレックスアップリンクキャリアである場合、前記制御部は、前記設定及びトリガーリング情報を伝達するキャリアを前記ＳＲＳを送信するキャリアとして決定することを特徴とする請求項１５に記載の端末。
【請求項１８】
前記ＳＲＳの送信がトリガーリングタイプ１を通してトリガーされる場合、前記制御部は、前記ＳＲＳの送信をトリガーする物理階層シグナリングによりスケジューリングされるデータを送信するキャリアを前記ＳＲＳを送信するキャリアとして位置されるものと決定し、又は、
前記制御部は、前記ＳＲＳの送信をトリガーする物理階層シグナリングを送信するキャリアを前記ＳＲＳを送信するキャリアとして決定することを特徴とする請求項１５に記載の端末。
【請求項１９】
サービングセル内のＦＤＤアップリンクキャリア及びＦＤＤダウンリンクキャリアが同一の設定及びトリガーリング情報を共有する場合、前記制御部は、前記ＦＤＤアップリンクキャリアがアップリンク送信だけをサポートする場合、ＦＤＤモードにより前記ＳＲＳを送信するキャリア及びサブフレームを決定し、
前記ＦＤＤアップリンクキャリアが前記アップリンク送信及びダウンリンク送信の両方ともをサポートする場合、前記制御部は、時間分割デュプレックス（Time Division Duplex；ＴＤＤ）モードにより前記ＳＲＳを送信するキャリア及びサブフレームを決定し、又は、
前記制御部は、前記ＦＤＤモードにより前記ＳＲＳを送信するキャリア及びサブフレームを決定し、又は、
前記制御部は、前記ＴＤＤモードにより前記ＳＲＳを送信するキャリア及びサブフレームを決定することを特徴とする請求項１５に記載の端末。
【請求項２０】
サービングセル内のＦＤＤアップリンクキャリア及びＦＤＤダウンリンクキャリアが同一の設定及びトリガーリング情報を共有する場合、前記ＦＤＤアップリンクキャリアがダウンリンク送信をサポートするか否かを前記端末が決定できない場合、前記制御部は、前記ＳＲＳの送信を実行することなく、前記取得された設定及びトリガーリング情報を無視することを特徴とする請求項１５に記載の端末。
【請求項２１】
サービングセル内のＦＤＤアップリンクキャリア及びＦＤＤダウンリンクキャリアが相異なる設定及びトリガーリング情報を使用する場合、前記送信モジュールは、基地局から、前記フレキシブルデュプレックス（flexible duplex）アップリンクキャリア又は前記ＦＤＤダウンリンクキャリアに対応し、また、設定及びトリガーリングモードを表示する上位階層シグナリングを受信し、
前記制御部は、前記設定及びトリガーリングモードにより前記ＳＲＳを送信するキャリア及びサブフレームを決定し、
前記設定及びトリガーリングモードは、ＴＤＤモード又はＦＤＤモードであることを特徴とする請求項１５に記載の端末。
【請求項２２】
サービングセルのＦＤＤアップリンクキャリアがダウンリンク送信をサポートし、前記端末が前記ＦＤＤアップリンクキャリアのアップリンク／ダウンリンク分布のためのサブフレームを決定できない場合、前記制御部は、前記ＳＲＳの送信を実行することなく、トリガーリングタイプが０であるＳＲＳ設定を無視するか、又は、
ダウンリンク自動再送要求(Hybrid Automatic Retransmission Request；ＨＡＲＱ)参照構成により、アップリンクサブフレーム及びアップリンクパイロットタイムスロット（uplink pilot time slot；ＵｐＰＴＳ）として使用されないサブフレームに対する物理的アップリンク共有チャネル（physical uplink shared channel；ＰＵＳＣＨ）がスケジューリングされない場合は、前記制御部は、前記ＳＲＳの送信を実行することなく、前記トリガーリングタイプが０である前記ＳＲＳ設定を無視することを特徴とする請求項１５に記載の端末。
【請求項２３】
前記制御部は、ダウンリンク制御情報(Downlink Control Information;ＤＣＩ）フォーマットにおいて、前記ダウンリンクキャリアに対応する送信器電力制御(Transmitter Power Control;ＴＰＣ）表示に基づいて、前記ＦＤＤダウンリンクキャリア上の前記ＳＲＳの電力制御調整値を決定し、
前記送信モジュールは、上位階層シグナリングにより各アップリンクキャリア及びダウンリンクキャリアのＴＰＣ一連番号を決定し、前記ＤＣＩフォーマットから前記ダウンリンクキャリアの決定されたＴＰＣ一連番号に対応するＴＰＣを判読し、前記ダウンリンクキャリアに対応するＤＣＩフォーマットを伝達するサブフレーム及び前記アップリンクキャリアに対応する前記ＤＣＩフォーマットを伝達するサブフレームを予め指定し、前記ＤＣＩフォーマットを伝送するサブフレームによって、前記ＤＣＩフォーマットにおけるＴＰＣ表示が前記アップリンクキャリア又は前記ダウンリンクキャリアに対応するか否かを決定することを特徴とする請求項１５に記載の端末。
【請求項２４】
前記決定されたＦＤＤダウンリンクキャリアがより低いバージョン端末をサポートする場合、前記制御部は、前記設定及びトリガーリング情報を取得した前記端末がシステム情報ブロック（system information block；ＳＩＢ）１、 ページング(paging)信号、又はマルチメディアブロードキャスト信号周波数ネットワーク（multimedia broadcast single frequency network；ＭＢＳＦＮ）を送信するサブフレームで及び／又は前記より低いバージョン端末のＳＰＳを送信するサブフレームで前記ＳＲＳの送信を実行することなく、
前記より低いバージョン端末はＦＤＤダウンリンクキャリアにおいて前記ＳＲＳの送信をサポートしない端末であることを特徴とする請求項１５に記載の端末。
【請求項２５】
前記送信モジュールは、基地局から設定された周期内で前記ＳＲＳの送信が許可されることを示すサブフレーム表示を含む上位シグナリングを受信することを特徴とする請求項２４に記載の端末。
【請求項２６】
アップリンクサウンディング参照信号（sounding reference signal；ＳＲＳ）を受信する基地局であって、
端末からフレキシブルデュプレックスアップリンクキャリア又は周波数分割デュプレックス（frequency division duplex；ＦＤＤ）ダウンリンクキャリアを通じて送信されるＳＲＳを受信する送受信部と、
前記ＳＲＳに基づいてチャネル情報を推定し、前記チャネル情報を前記ＳＲＳを伝送するアップリンクチャネルに対応するダウンリンクチャネル情報として設定するように構成する制御部と、を含むことを特徴とする基地局。
【請求項２７】
前記送受信部がダウンリンク参照シンボルに基づいて前記端末により測定されたチャネル品質インジケータ(Channel Quality Indicator；ＣＱＩ)を受信し、
前記制御部が前記ＣＱＩを前記ＳＲＳに基づいて推定される前記チャネル情報と共に組み合わせて、前記ダウンリンクチャネル情報を設定することを特徴とする請求項２６に記載の基地局。
【請求項２８】
前記送受信部は、ダウンリンク参照シンボルに基づいて前記端末により測定された前記端末のアンテナの部分と前記基地局の送信アンテナとの間の第２のダウンリンクチャネル情報を受信し、
前記制御部は、前記第２のダウンリンクチャネル情報を前記ＳＲＳに基づいて推定される前記チャネル情報と組み合わせて前記ダウンリンクチャネル情報を設定し、
前記端末のアンテナの部分は、送信アンテナとして使用されない前記端末の受信アンテナであることを特徴とする請求項２６に記載の基地局。
【手続補正２】
【補正対象書類名】明細書
【補正対象項目名】００４７
【補正方法】変更
【補正の内容】
【００４７】
【図１】ＦＤＤモードにおけるフレーム構造を示す図である。
【図２】ＴＤＤモードにおけるフレーム構造を示す図である。
【図３Ａ】本発明の多様な実施形態による、アップリンクサウンディング参照信号を送信する端末の動作フローチャートの一例である。
【図３Ｂ】本発明の実施形態によって、アップリンクサウンディング参照信号を受信した基地局のチャネル推定動作のフローチャートの一例である。
【図４】本発明の多様な実施形態による、ハイブリッドデュプレックス通信システムにおけるフレーム構造を示す図である。
【図５】本発明の多様な実施形態による、端末の構造を示す図である。
【図６】本発明の多様な実施形態による、基地局の構造を示す図である。
【手続補正３】
【補正対象書類名】明細書
【補正対象項目名】００５１
【補正方法】変更
【補正の内容】
【００５１】
図３Ａは、本発明の多様な実施形態による、アップリンクサウンディング参照信号を送信する端末の動作フローチャートの一例である。
【手続補正４】
【補正対象書類名】明細書
【補正対象項目名】００５２
【補正方法】変更
【補正の内容】
【００５２】
図３Ａを参照すると、ブロック３０１で、端末は、ＳＲＳの設定及びトリガーリング情報を取得し、ＳＲＳが位置されるキャリア及びサブフレームを決定する。
【手続補正５】
【補正対象書類名】明細書
【補正対象項目名】００７６
【補正方法】変更
【補正の内容】
【００７６】
図３Ａのブロック３０２で、端末はＳＲＳ電力制御と関連した情報を取得して、ＳＲＳ電力値を決定し、またＳＲＳを送信する。端末がＳＲＳを送信する以前には、電力制御がＳＲＳに対して実行される。ＦＤＤダウンリンクキャリア及びＦＤＤアップリンクキャリアにより実行されるＳＲＳ上の電力制御が処理される時、システムが処理するための相異なるセルとしてＦＤＤダウンリンクキャリア及びＦＤＤアップリンクキャリアを設定し、また、ＦＤＤアップリンクキャリアに対応するセルがセルｃで表示される場合には、サブフレームｉ上のＳＲＳ送信電力は３ＧＰＰ ＴＳ ３６．２１３ ｖ１０．２．０で、PSRS,c(i)によって、すなわち
【手続補正６】
【補正対象書類名】明細書
【補正対象項目名】０１１１
【補正方法】変更
【補正の内容】
【０１１１】
具体的には、ＦＤＤダウンリンクキャリアの何れかのサブフレームがＳＲＳを送信するように許可されるかをＵＥに知らせるために、基地局は、ＳＲＳの設定及びトリガーリングがどのサブフレームで許可されるかを上位階層シグナリングを通して(例えば、ビットマッピング方式)ＵＥに通知できる。例えば、Ｍ個のサブフレームが１周期を設定する場合、基地局はＵＥにＭ−ビット上位階層シグナリングを通知し、それぞれのビットは、周期内の一つのサブフレームに対応する。サブフレームに対応するビットが０である場合、ＳＲＳ送信は許可されない。この場合、Ｍの値は４０であり得る。
図３Ｂは、本発明の実施形態によって、アップリンクサウンディング参照信号を受信した基地局のチャネル推定動作のフローチャートの一例である。
図３Ｂを参照すると、ブロック３１１で、基地局は、端末が送信したＳＲＳを受信する。
【手続補正７】
【補正対象書類名】明細書
【補正対象項目名】０１１２
【補正方法】変更
【補正の内容】
【０１１２】
また、ブロック３１２で、前記基地局は、前記受信されたアップリンクサウンディング参照信号情報に基づいてチャネル情報を取得する。
【手続補正８】
【補正対象書類名】明細書
【補正対象項目名】０１１３
【補正方法】変更
【補正の内容】
【０１１３】
具体的に、基地局は、受信されたアップリンクサウンディング参照信号によってアップリンクチャネルを測定するか、又はチャネルフェーディング(channel fading）を推定する。また、基地局は、対応するダウンリンクチャネルの測定又はチャネルフェーディング推定としてある推定された値を設定できる。この場合、対応するダウンリンクチャネルはＳＲＳを搬送するキャリアのダウンリンクチャネルである。空間観点で、対応するダウンリンクチャネルはＳＲＳアップリンクチャネルを搬送するのに使用される複数のアンテナの間のダウンリンクチャネルである。例えば、アンテナＡは、基地局側のアンテナであり、アンテナＢは端末のアンテナである。端末がアンテナＢを通してアップリンクＳＲＳを基地局のアンテナＡに送信する場合、アップリンクＳＲＳによって取得される、チャネル測定結果又はチャネルフェーディング推定結果は、アンテナＢとアンテナＡ間のチャネル測定結果又はチャネルフェーディング推定結果として設定されることができる。
【手続補正９】
【補正対象書類名】明細書
【補正対象項目名】０１７５
【補正方法】変更
【補正の内容】
【０１７５】
図５は、本発明の多様な実施形態による端末の構造を示す図である。
図５を参照すると、例えば、端末５００は、構成モジュール５０２及びＳＲＳ送信モジュール５０４を含むことができる。構成モジュール５０２は、本開示の実施形態による端末の全般的な動作を制御する制御部又はプロセッサ(processor)に対応され、ＳＲＳ送信モジュール５０４は端末の通信動作を実行する送受信部に対応できる。
【手続補正１０】
【補正対象書類名】明細書
【補正対象項目名】０１７６
【補正方法】変更
【補正の内容】
【０１７６】
具体的に、構成モジュール５０２は、ＳＲＳの設定及びトリガーリング情報を取得し、そのＳＲＳ設定及びトリガーリング情報により、ＳＲＳの送信が位置されるキャリア及びサブフレームを決定し、ＳＲＳ電力制御情報を取得してＳＲＳ電力値を決定することができる。この場合、ＳＲＳの送信が位置されるキャリアは、ＦＤＤアップリンクキャリア、ＦＤＤダウンリンクキャリア、又はフレキシブルデュプレックスのアップリンクキャリアである。
【手続補正１１】
【補正対象書類名】明細書
【補正対象項目名】０１７７
【補正方法】変更
【補正の内容】
【０１７７】
また、ＳＲＳ送信モジュール５０４は、上記決定されたＳＲＳ電力値を有し、上記決定されたキャリア及びサブフレームでＳＲＳを送信することによって、基地局がチャネル情報を推定することができる。
【手続補正１２】
【補正対象書類名】明細書
【補正対象項目名】０１７８
【補正方法】変更
【補正の内容】
【０１７８】
図６は、本発明の多様な実施形態にしたがう、基地局の構造を示す図である。基地局は、ＳＲＳ検出モジュール及びチャネル推定モジュールを含むことができる。
図６を参照すれば、例えば、基地局６００は、ＳＲＳ検出モジュール６０２と、チャネル推定モジュール６０４を含むことができる。チャンネル推定モジュール６０４は、本開示の実施形態による基地局の全般的な動作を制御する制御部又はプロセッサに対応され、ＳＲＳ検出モジュール６０２は、端末の通信動作を実行する送受信部に対応できる。
【手続補正１３】
【補正対象書類名】明細書
【補正対象項目名】０１７９
【補正方法】変更
【補正の内容】
【０１７９】
ＳＲＳ検出モジュール６０２はフレキシブルデュプレックスのダウンリンクキャリア又はアップリンクキャリアで端末により送信されるＳＲＳを検出できる。
【手続補正１４】
【補正対象書類名】明細書
【補正対象項目名】０１８０
【補正方法】変更
【補正の内容】
【０１８０】
チャネル推定モジュール６０４は、ＳＲＳ検出モジュールにより検出されるＳＲＳによってチャネル推定を実行し、また、ＳＲＳを搬送するアップリンクチャネルに対応するダウンリンクチャネルのチャネル情報として推定結果を構成することができる。本発明の実施形態により、推定結果は、ＵＥにより報告されるチャネル情報と組み合わせられることで全体チャネル情報を構成することができる。
【手続補正１５】
【補正対象書類名】図面
【補正対象項目名】全図
【補正方法】変更
【補正の内容】
【図１】
2017516396.tif 000001
【図２】
2017516396.tif 000002
【図３Ａ】
2017516396.tif 000003
【図３Ｂ】
2017516396.tif 000004
【図４】
2017516396.tif 000005
【図５】
2017516396.tif 000006
【図６】
2017516396.tif 000007